(57)【要約】【課題】型枠のリサイクルを確率して木材資源を有効に活用するとともに、型枠の廃棄による環境への悪影響を防止することができる木製型枠リースシステムを提供する。【解決手段】所定の情報を入出力及び蓄積するデーターベースサーバー（７）を設け、サブリース店（１）側に、少なくとも型枠需要者（８）との型枠のレンタル納入・返却情報、当該サブリース店（１）の型枠在庫・廃材情報を通信回線を介して前記データーベースサーバー（７）に入力する第１端末装置（２）を設け、型枠製造会社（５）側に、少なくとも型枠（１０）の生産・発送情報を通信回線を介して前記データーベースサーバー（７）に入力する第２端末装置（４）を設け、レンタルヘッドクォーター側に、少なくとも型枠需要者（８）からのレンタル料入金情報、サブリース店（１）へのレンタル取り次ぎマージン料支払い情報、型枠（１０）の総合在庫情報を通信回線を介して前記データーベースサーバー（７）に入力する第３端末装置（６）を設ける。【選択図】      図１
2004341997.tif 000002
【特許請求の範囲】
【請求項１】
所定の情報を入出力及び蓄積するデーターベースサーバー（７）を設け、サブリース店（１）側に、少なくとも型枠需要者（８）との型枠のレンタル納入・返却情報、当該サブリース店（１）の型枠在庫・廃材情報を通信回線を介して前記データーベースサーバー（７）に入力する第１端末装置（２）を設け、型枠製造会社（３）側に、少なくとも型枠（１０）の生産・発送情報を通信回線を介して前記データーベースサーバー（７）に入力する第２端末装置（４）を設け、レンタルヘッドクォーター（５）側に、少なくとも型枠需要者（８）からのレンタル料入金情報、サブリース店（１）へのレンタル取り次ぎマージン料支払い情報、型枠（１０）の総合在庫情報を通信回線を介して前記データーベースサーバー（７）に入力する第３端末装置（６）を設けたことを特徴とする木製型枠リースシステム。
【請求項２】
データーベースサーバー（７）は、第１端末装置（２）により少なくとも取引先、型枠（１０）の種類とその数量、レンタル期間が入力された際に、これを蓄積し、また該蓄積データに対応した見積書、契約書を作成して前記第１端末装置（２）に送信する取引情報ウエブページ（７１）を有してなることを特徴とする請求項１記載の木製型枠リースシステム。
【請求項３】
データーベースサーバー（７）は、第１端末装置（２）により少なくとも取引先、型枠（１０）の種類とその数量、レンタル期間が入力された際に、これを蓄積し、また該蓄積データに対応したレンタルヘッドクォーター（５）発行の納品書を前記第１端末装置（２）に送信するとともに、該納品書のデータを通信回線を介して第２端末装置（４）に送信するレンタル申請ウエブページ（７２）を有してなることを特徴とする請求項１又は２記載の木製型枠リースシステム。
【請求項４】
データーベースサーバー（７）は、第１端末装置（２）により少なくとも取引先、型枠（１０）の種類とその数量が入力された際に、これを蓄積し、また該蓄積データに対応した取引先宛の納品書を作成して前記第１端末装置（２）に送信する納品書作成ウエブページ（７３）を有してなることを特徴とする請求項１〜３何れか１項に記載の木製型枠リースシステム。
【請求項５】
データーベースサーバー（７）は、第１端末装置（２）により型枠（１０）の返却先、再利用可能な型枠（１０）及び破損した型枠（１０’）の種類とその数量が入力された際に、これを蓄積し、また該蓄積データに対応した在庫リストを作成して前記第１端末装置（２）に送信する返却・在庫管理ウエブページ（７４）を有してなることを特徴とする請求項１〜４何れか１項に記載の木製型枠リースシステム。
【発明の詳細な説明】
【０００１】
【発明の属する技術分野】
本発明は、コンクリートを成形する木製の型枠を型枠製造会社が型枠需要者にリース方式で供給することにより、型枠のリサイクル化を図り、木材資源を有効に活用するとともに、使用済み型枠の不法投棄による環境への悪影響を防止する型枠リースシステムに関するものである。
【０００２】
【従来の技術】
従来は、建設会社あるいは該建設会社から発注される型枠専門業者等の型枠需要者が型枠を所有し、該型枠を使用してコンクリート製の基礎あるいは壁等を成形するようにしていた。そして、離型した型枠は型枠需要者の倉庫あるいは屋外に積み重ねて保管し、破損した型枠は建設現場の片隅あるいは型枠需要者の敷地の片隅に野積みにしたり、処理料を払って廃棄物処理業者に処理してもらうようにしていた。
【０００３】
【発明が解決しようとする課題】
従来は、型枠を型枠需要者が所有するようにしていたので、工事の大小に対応するべく、多数の型枠を自社で保有する必要があり、大きな保管スペースを要するとともに、破損した型枠の処理に費用及び手数を要するため、不法投棄につながり易いものであった。また、破損した型枠は全て廃棄物となるため、木材資源の枯渇につながるものであった。本発明は、型枠の型枠製造会社が型枠をリース方式で型枠需要者に供給することにより、上記不具合を解消した新規な木製型枠リースシステムを提供することを目的とする。
【０００４】
【課題を解決するための手段】
本発明は、上記目的を達成するために以下の如く構成したものである。即ち、請求項１に係る発明は、所定の情報を入出力及び蓄積するデーターベースサーバーを設け、サブリース店側に、少なくとも型枠需要者との型枠のレンタル納入・返却情報、当該サブリース店の型枠在庫・廃材情報を通信回線を介して前記データーベースサーバーに入力する第１端末装置を設け、型枠製造会社側に、少なくとも型枠の生産・発送情報を通信回線を介して前記データーベースサーバーに入力する第２端末装置を設け、レンタルヘッドクォーター側に、少なくとも型枠需要者からのレンタル料入金情報、サブリース店へのレンタル取り次ぎマージン料支払い情報、型枠の総合在庫情報を通信回線を介して前記データーベースサーバーに入力する第３端末装置を設ける構成にしたものである。
請求項２に係る発明は、上記データーベースサーバーに、第１端末装置により少なくとも取引先、型枠の種類とその数量、レンタル期間が入力された際に、これを蓄積し、また該蓄積データに対応した見積書、契約書を作成して前記第１端末装置に送信する取引情報ウエブページを設けたものである。
請求項３に係る発明は、前記データーベースサーバーに、第１端末装置により少なくとも取引先、型枠の種類とその数量、レンタル期間が入力された際に、これを蓄積し、また該蓄積データに対応したレンタルヘッドクォーター発行の納品書を前記第１端末装置に送信するとともに、該納品書のデータを通信回線を介して第２端末装置に送信するレンタル申請ウエブページを設けたものである。
請求項４に係る発明は、前記データーベースサーバーに、第１端末装置により少なくとも取引先、型枠の種類とその数量が入力された際に、これを蓄積し、また該蓄積データに対応した取引先宛の納品書を作成して前記第１端末装置に送信する納品書作成ウエブページを設けたものである。
請求項５に係る発明は、前記データーベースサーバーに、第１端末装置により型枠の返却先、再利用可能な型枠及び破損した型枠の種類とその数量が入力された際に、これを蓄積し、また該蓄積データに対応した在庫リストを作成して前記第１端末装置に送信する返却・在庫管理ウエブページを設けたものである。
【０００５】
【発明の実施の形態】
以下本発明の実施の形態を図面に基づいて説明する。図において、図１は本発明の実施例による木製型枠リースシステムの概略構成を示す説明図、図２はサブリース店の端末装置とデータベースサーバとの間で行う型枠の取引情報ウエブページの送受信を説明するためのフローチャート、図３はサブリース店の端末装置とデータベースサーバとの間で行う型枠のレンタル申請ウエブページの送受信を説明するためのフローチャート、図４はサブリース店の端末装置とデータベースサーバとの間で行う型枠の納品書作成ウエブページの送受信を説明するためのフローチャート、図５はサブリース店の端末装置とデータベースサーバとの間で行う型枠の返却・在庫管理ウエブページの送受信を説明するためのフローチャート、図６はサブリース店の端末装置とデータベースサーバとの間で行うサブリース店情報確認ウエブページの送受信を説明するためのフローチャート、図７は型枠製造会社の端末装置とデータベースサーバとの間で行う型枠生産・発送ウエブページの送受信を説明するためのフローチャート、図８はヘッドクォーターの端末装置とデータベースサーバとの間で行うヘッドクォーター入力・発行ウエブページの送受信を説明するためのフローチャート、図９はヘッドクォーターの端末装置とデータベースサーバとの間で行うヘッドクォーター情報確認エブページの送受信を説明するためのフローチャート、図１０は型枠製造会社が製造する型枠の部分斜視図、図１１は型枠のリース投入量面積算定表の例を示す図、図１２は型枠の算定寸法表の例を示す図である。
【０００６】
図１は木製型枠リースシステムの概略構成を示すもので、各サブリース店１に設置された第１端末装置２、型枠製造会社３に設置された第２端末装置４、及びレンタルヘッドクォーター５側に設置された第３端末装置６がそれぞれ通信回線を介してデーターベースサーバー７に接続されている。上記第１〜第３端末装置２，４，６は通信機能を備えたパーソナルコンピュータと同様の機能及び構成を有し、それぞれ電子メールアドレスが登録されている。上記データーベースサーバー７は、レンタルヘッドクォーター５側、あるいは型枠製造会社３側に設置され、各第１〜第３端末装置２，４，６に要求される各ウエブページを返信すとともに、該第１〜第３端末装置２，４，６から送信された種々のデータに応じて該当するウエブページの更新、加工等を行ったり、また、各第１〜第３端末装置２，４，６に電子メールで所定の情報を配信したりするようになっている。
【０００７】
上記レンタルヘッドクォーター５は、型枠製造会社３によって設立された型枠１０の一次のレンタル型枠会社であり、提携したサブリース店（二次のレンタル型枠会社）１に該サブリース店１が受注した型枠需要者８との型枠１０の見積書、リース契約書等を発行したり、型枠需要者８からの入金状況、各サブリース店１へのマージン支払い状況等を管理したりする。
【０００８】
上記サブリース店１は、型枠１０を型枠需要者８に納入したり、リース期間の終了した型枠１０を型枠需要者８から引き取って保守・点検したり、破損等により使用不能な型枠１０’を型枠製造会社３に返却したりする。また、型枠製造会社３は、型枠製造設備、及びリサイクルプラントを備え、受注した型枠１０を仕様に従って製作したり、各サブリース店１から返却された使用不能な型枠１０’を分解して再製したりする。なお、上記型枠需要者８は、建設会社及び又は型枠施工専門業者等、型枠を使用する業者を対象とし、本例では、建設会社８ａがサブリース店１から型枠１０を受け取り、これを各型枠施工専門業者８ｂに貸与して所定の型枠工事を行わせるようにしている。
【０００９】
型枠製造会社３が製造する型枠１０は木質複合板からなり、図１０に示すようになっている。即ち、接着剤が付着された多数の木質小片、木質粒状物を所定厚さに堆積し、これを熱厚成形して木質製のパネル（パーチクルボード）１０ａを形成し、該パネル１０ａの表面に防水用のプラスチック、本例ではポリオレフィン製のシート１０ｂを貼ってなる。
【００１０】
上記型枠１０の厚さＴ１は約１２ｍｍとし、横幅Ｗは建築に使用されるＪＡＳ企画寸法、例えば図１２の右欄の上段側に記載されているように、３００ｍｍ，６００ｍｍ，９００ｍｍ、１２００ｍｍの４種類とし、また長さＬは例えば図１２の右欄の下段側に記載されているように、１６６０ｍｍ、２０００ｍｍ、３０００ｍｍ、４０００ｍｍ、５０００ｍｍの６種類とする。なお、上記型枠１０の厚さＴ１、横幅Ｗ、及び長さＬは建築物の大きさ等によって適宜設定するようにしてもよい。
【００１１】
上記シート１０ｂの厚さは約０．０１６ｍｍとし、該シート１０ｂにより上記パネル１０ａの上面全面、幅方向の左右両側面、及び下面の幅方向両端部を被覆し、パネル１０ａの長手方向両端面は外部に露出させる。なお、上記下面の幅方向両端部を被覆する下面側のシート１０ｂの横幅Ｓ１はパネル１０ａの厚さよりも若干大寸となる約１５ｍｍとする。
【００１２】
上記データーベースサーバー７は、サブリース店１側の第１端末装置２によって送受信される取引情報ウエブページ７１（図２）、レンタル申請ウエブページ７２（図３）、納品書作成ウエブページ７３（図４）、返却・在庫管理ウエブページ７４（図５）、サブリース店情報確認ウエブページ７５（図６）、型枠製造会社３側の第２端末装置４によって送受信される型枠生産・発送ウエブページ７６（図７）、レンタルヘッドクォーター５側の第３端末装置６によって送受信されるヘッドクォーター入力・発行ウエブページ７７（図８）、ヘッドクォーター情報確認ウエブページ７８（図９）、等を有する。
【００１３】
上記取引情報ウエブページ７１は、図２に示すように、第１端末装置２によって開かれ、該ページにサブリース店１の第１端末装置２がＰ１で見積及び契約に必要なデーター、例えば取引先（型枠需要者名）、型枠仕様・数量・レンタル期間等を入力し、Ｐ２で見積書発行ボタンをオンすると、Ｐ３で上記データーがデーターベースサーバ７によって演算・加工され、所定の見積書が自動作成される。この見積書のデーターはＰ４でデーターベースサーバー７に蓄積され、Ｐ５で上記作成された見積書がプリントアウトされる。また、Ｐ６で契約書発行ボタンをオンすると、Ｐ７で上記データーに基づく契約書が前述し同様にして自動作成される。この契約書のデーターはＰ８でデーターベースサーバー７に蓄積され、Ｐ９で上記作成された契約書がプリントアウトされる。そして、Ｐ１０で終了ボタンが押されると、Ｐ１１で上記取引情報ウエブページ７１が閉じられ、Ｐ１２で次のウエブページが選択可能となる。
【００１４】
ここで、上記見積書を作成するに当たり、現場で使用される型枠のカット寸法（仕様）が型枠製造会社３で製造する既製品と異なる場合は、該型枠１０の使用量は、図１１に示す型枠、リース投入面積算定表、及び図１２に示す算定寸法表に基づいて算出する。例えば、カット寸法が１ｍｍ〜３００ｍｍ（Ｗ）×１ｍｍ〜１６６０ｍｍ（Ｌ）の間になるものは、既製品型枠は３００ｍｍ（Ｗ）×１６６０ｍｍ（Ｌ）とし、３０１ｍｍ〜６００ｍｍ（Ｗ）×１６６１ｍｍ〜２０００ｍｍ（Ｌ）の間になるものは、既製品型枠は６００ｍｍ（Ｗ）×２０００ｍｍ（Ｌ）として算出する。
【００１５】
上記Ｐ１２でＡ１、即ち、レンタル申請ウエブページ７２が選択されると、図３で示すように、該レンタル申請ウエブページ７２が開かれる。サブリース店１の第１端末装置２がＰ１５で上記ページにレンタル申請に必要なデーター、例えば型枠１０の種類・数量・レンタル期間等を入力すると、Ｐ１６でレンタル申請書が発行され、該データーがデーターベースサーバー７に送信され、ここに蓄積されるとともに、通信回線（電子メールを含む）を介してレンタルヘッドクォーター５に送信され、該レンタルヘッドクォーター５によって上記データーに基づく納品書が発行されると、Ｐ１７で該納品書が受信される。そして、Ｐ１８で上記レンタル申請ウエブページ７２が閉じられると、Ｐ１９で次のウエブページが選択可能となる。
【００１６】
Ｐ１９でＡ２、即ち、納品書作成ウエブページ７３が選択されると、図４で示すように、該納品書作成ウエブページ７３が開かれる。サブリース店１の第１端末装置２がＰ２５で上記ページに納品に必要なデーター、例えば納品先（型枠需要者又は他のサブリース店）、型枠１０の種類・数量等を入力し、Ｐ２６で納品書を発行指令すると、Ｐ２７で上記データに基づく納品書が自動作成され、Ｐ２８で該データーがデーターベースサーバー７に送信され、ここに蓄積される。Ｐ２９で上記納品書をプリントアウトした後、Ｐ３０で上記納品書作成ウエブページ７３が閉じられると、Ｐ３１で次のウエブページが選択可能となる。
【００１７】
Ｐ３１でＡ３、即ち、返却・在庫管理ウエブページ７４が選択されると、図５で示すように、該返却・在庫管理ウエブページ７４が開かれる。サブリース店１の第１端末装置２がＰ３５で上記ページに再利用可能な型枠１０の種類・数量、破損した型枠１０’の種類・数量、返却先等のデーターをデーターベースサーバー７に入力すると、Ｐ３６で在庫リストを要求した際に、Ｐ３７で現在の当該サブリース店１の在庫リスト、即ち使用可能な型枠１０、破損型枠１０’の数量が種類別に表示される。この在庫リストをＰ３８でプリントアウトした後、Ｐ３９で上記返却・在庫管理ウエブページ７４が閉じられると、Ｐ４０で次のウエブページが選択可能となる。
【００１８】
Ｐ４０でＡ４、即ち、サブリース店情報確認ウエブページ７５が選択されると、図６で示すように、該サブリース店情報確認ウエブページ７５が開かれる。そして、Ｐ４５を選択すると過去の見積書・契約書を確認することができ、Ｐ４６を選択すると型枠需要者８（建設会社８ａ）への型枠１０のリース状況を確認することができ、Ｐ４７を選択すると自社の在庫を製品型枠１０、破損型枠１０’別に確認することができ、Ｐ４８を選択するとレンタルベッドクォーター５からの入金状況を確認することができ、Ｐ４９を選択するとレンタルベッドクォーター５への保証金支払い状況を確認することができ、Ｐ５０を選択するとレンタルベッドクォーター５の入力した新規物件情報を確認することができ、Ｐ５１を選択すると他のサブリース店１との型枠提供状況を確認することができる。上記所定の情報確認が終了した際には、Ｐ５２で上記サブリース店情報確認ウエブページ７５が閉じられる。
【００１９】
前述した型枠生産・発送ウエブページ７６は、型枠製造会社３側の第２端末装置４によって開かれ、該第２端末装置４により、図７に示すように、Ｐ５５で各サブリース店１の在庫を確認し、これにより型枠製造会社３は型枠１０の生産計画を立てることができる。新たに生産された型枠１０の数量及び種類はＰ５６で第２端末装置４によりデータベース７に入力される。また、Ｐ５７でレンタルヘッドクォーター５が発行した納品書を確認（電子メールにより）し、型枠製造会社３はＰ５８で上記納品書に対応した型枠１０を該当するサブリース店１に納品書を添えて発送し、Ｐ５９で第２端末装置４により上記発送データをデータベース７に入力した後、Ｐ６０で上記型枠生産・発送ウエブページ７６を閉じる。
【００２０】
前述したヘッドクォーター入力・発行ウエブページ７７は、レンタルヘッドクォーター５側の第３端末装置６によって開きかれ、該第３端末装置６により図８に示すような各データがデータベースサーバー７に入力される。即ち、Ｐ６５ではサブリース店１から要求のあった見積書・契約書を作成し、これをデーターサーバー７に入力し、Ｐ６６ではサブリース店１から要求のあったレンタル申請に伴う型枠１０の納品書を発行し、これをデータベースサーバー７に入力する。また、Ｐ６７では型枠需要者８（建設会社８ａ）からの入金状況を、Ｐ６８ではサブリース店１からの保証金入金状況を、Ｐ６９ではサブリース店１へのレンタル取り次ぎマージンの支払い状況を、Ｐ７０では各サブリース１に必要な新規物件情報をそれぞれデータベースサーバー７に入力する。上記所定の入力・発行が終了し、Ｐ７１でヘッドクォーター入力・発行ウエブページ７７が閉じられると、Ｐ７２で次のウエブページが選択可能となる。
【００２１】
Ｐ７２でＢ１、即ち、ヘッドクォーター情報確認ウエブページ７８が選択されると、図９で示すように、該ヘッドクォーター情報確認ウエブページ７８が開かれる。そして、Ｐ７５を選択すると過去の見積書・契約書を確認することができ、Ｐ７６を選択するとサブリース店１による型枠需要者８（建設会社８ａ）へのリース状況を確認することができ、Ｐ７７を選択すると各サブリース店１の在庫を製品型枠１０、破損型枠１０’別に確認することができ、Ｐ７８を選択すると各型枠需要者８（建設会社８ａ）からの入金状況、リース期間等を確認することができ、Ｐ７９を選択すると各サブリース店１からの保証金入金状況を確認することができ、Ｐ８０を選択すると各サブリース店１への取り次ぎマージンの支払い状況を確認することができ、Ｐ８１を選択すると各サブリース店１間の型枠１０の移動状況を確認することができる。上記所定の情報確認が終了した際には、Ｐ８２で上記ヘッドクォーター情報確認ウエブページ７８を閉じる。
【００２２】
【発明の効果】
以上の説明から明らかな如く、本願の請求項１に係る発明によれば、木製の型枠を型枠製造会社が型枠需要者にリースで供給するようにしたので、使用済みの型枠及び損傷した型枠が円滑に型枠製造会社に返却され、工事現場等での型枠の野積み、不法投棄等がなくなり、環境への悪影響を防止するとともに、リサイクルの効率を高くして木材資源を有効に活用することができる。
しかも、所定の情報を入出力及び蓄積するデーターベースサーバーを設け、サブリース店側に型枠需要者との型枠のレンタル納入・返却情報、当該サブリース店の型枠在庫・廃材情報等を通信回線を介して前記データーベースサーバーに入力する第１端末装置を設け、型枠製造会社側に型枠の生産・発送情報等を通信回線を介して前記データーベースサーバーに入力する第２端末装置を設け、レンタルヘッドクォーター側に型枠需要者からのレンタル料入金情報、サブリース店へのレンタル取り次ぎマージン料支払い情報、型枠の総合在庫情報等を通信回線を介して前記データーベースサーバーに入力する第３端末装置を設けるようにしたので、型枠需要者、サブリース店、型枠製造会社間で流通する型枠の管理が一元的に行えることになる。
また、請求項２に係る発明によれば、上記データーベースサーバーに、第１端末装置により取引先、型枠の種類とその数量、レンタル期間等が入力された際に、これを蓄積し、また該蓄積データに対応した見積書、契約書を作成して前記第１端末装置に送信する取引情報ウエブページを設けたので、見積書、契約書の作成、管理が容易に行えることになる。
また、請求項３に係る発明によれば、前記データーベースサーバーに、第１端末装置により取引先、型枠の種類とその数量、レンタル期間等が入力された際に、これを蓄積し、また該蓄積データに対応したレンタルヘッドクォーター発行の納品書を前記第１端末装置に送信するとともに、該納品書のデータを通信回線を介して第２端末装置に送信するレンタル申請ウエブページを設けたので、型枠の供給・返却が円滑に行われることになる。
また、請求項４に係る発明によれば、前記データーベースサーバーに、第１端末装置により取引先、型枠の種類とその数量等が入力された際に、これを蓄積し、また該蓄積データに対応した取引先宛の納品書を作成して前記第１端末装置に送信する納品書作成ウエブページを設けたので、型枠の納品・管理が円滑に行われることになる。
また、請求項５に係る発明は、前記データーベースサーバーに、第１端末装置により型枠の返却先、再利用可能な型枠及び破損した型枠の種類とその数量が入力された際に、これを蓄積し、また該蓄積データに対応した在庫リストを作成して前記第１端末装置に送信する返却・在庫管理ウエブページを設けたので、各サブリース店の型枠の在庫管理が一元的に行えることになる。
【図面の簡単な説明】
【図１】本発明の実施例による木製型枠リースシステムの概略構成を示す説明図である。
【図２】サブリース店の端末装置とデータベースサーバとの間で行う型枠の取引情報ウエブページの送受信を説明するためのフローチャートである。
【図３】サブリース店の端末装置とデータベースサーバとの間で行う型枠のレンタル申請ウエブページの送受信を説明するためのフローチャートである。
【図４】サブリース店の端末装置とデータベースサーバとの間で行う型枠の納品書作成ウエブページの送受信を説明するためのフローチャートである。
【図５】サブリース店の端末装置とデータベースサーバとの間で行う型枠の返却・在庫管理ウエブページの送受信を説明するためのフローチャートである。
【図６】サブリース店の端末装置とデータベースサーバとの間で行うサブリース店情報確認ウエブページの送受信を説明するためのフローチャートである。
【図７】型枠製造会社の端末装置とデータベースサーバとの間で行う型枠生産・発送ウエブページの送受信を説明するためのフローチャートである。
【図８】ヘッドクォーターの端末装置とデータベースサーバとの間で行うヘッドクォーター入力・発行ウエブページの送受信を説明するフローチャートである。
【図９】ヘッドクォーターの端末装置とデータベースサーバとの間で行うヘッドクォーター情報確認エブページの送受信を説明するためのフローチャートである。
【図１０】型枠製造会社が製造する型枠の部分斜視図である。
【図１１】型枠のリース投入量面積算定表の例を示す図である。
【図１２】型枠の算定寸法表の例を示す図である。
【符号の説明】
１    サブリース店
２    第１端末装置
３    型枠製造会社
４    第２端末装置
５    レンタルヘッドクォーター
６    第３端末装置
７    データベースサーバー
７１    情報取引ウエブページ
７２    レンタル申請ウエブページ
７３    納品書作成ウエブページ
７４    返却・在庫管理ウエブページ
７５    サブリース店情報確認ウエブページ
７６    型枠生産・発送ウエブページ
７７    ヘッドクォーター入力・発行ウエブページ
７８    ヘッドクォーター情報確認ウエブページ
８    型枠需要者
８ａ  建設会社
８ｂ  型枠施工専門業者
１０    型枠
１０ａ  パネル
１０ｂ  シート
１０’  破損した型枠
【図１】
2004341997.tif 000003
【図２】
2004341997.tif 000004
【図３】
2004341997.tif 000005
【図４】
2004341997.tif 000006
【図５】
2004341997.tif 000007
【図６】
2004341997.tif 000008
【図７】
2004341997.tif 000009
【図８】
2004341997.tif 000010
【図９】
2004341997.tif 000011
【図１０】
2004341997.tif 000012
【図１１】
2004341997.tif 000013
【図１２】
2004341997.tif 000014